(57)【要約】【課題】携帯端末機器を用いて緊急事態をより確実かつ詳細に伝達すること。【解決手段】制御手段１３は緊急通報信号が与えられたら、位置情報算出手段１１から現在の位置情報を取得する。そして、キー入力処理手段５によって予め作成し記録された住所や電話番号、氏名等の個人情報、緊急事態用のメッセージを、個人情報記憶手段７、メッセージ記憶手段８から取り出す。更に制御手段１３は緊急通報信号が出力されたときに撮影した静止画を画像記憶手段９から取り出し、通信手段１２に出力する。通信手段１２はこれら４種類の情報の何れかを、予め記憶されているメールアドレス先に送信する。【選択図】        図１
2004355539.tif 000002
【特許請求の範囲】
【請求項１】
緊急時を検出し、緊急通報信号を出力する緊急時検出手段と、
個人情報を格納する個人情報記憶手段と、
通信先のメールアドレスを記憶するアドレス記憶手段と、
通信先のメールアドレスに対し、前記個人情報記憶手段の前記個人情報を送信すると共に、前記緊急時検出手段から緊急通報信号が与えられたら、前記アドレス記憶手段に登録されている特定のメールアドレス先へＥメール送信を行うメッセージ送信手段と、を具備することを特徴とする緊急通報装置。
【請求項２】
緊急時を検出し、緊急通報信号を出力する緊急時検出手段と、
個人情報を格納する個人情報記憶手段と、
通信先のメールアドレスを記憶するアドレス記憶手段と、
テキスト情報を格納するテキスト情報記憶手段と、
通信先のメールアドレスに対し、前記個人情報記憶手段の個人情報、前記テキスト情報記憶手段のテキスト情報のうち、何れかの情報を送信すると共に、前記緊急通報信号が与えられたら、前記アドレス記憶手段に登録されている特定のメールアドレス先へＥメール送信を行うメッセージ送信手段と、を具備することを特徴とする緊急通報装置。
【請求項３】
緊急時を検出し、緊急通報信号を出力する緊急時検出手段と、
個人情報を格納する個人情報記憶手段と、
通信先のメールアドレスを記憶するアドレス記憶手段と、
被写体を撮影する撮像手段と、
前記撮像手段からの出力の画像信号処理を行う画像信号処理手段と、
前記画像信号処理手段の出力する画像情報を記憶する画像記憶手段と、
通信先のメールアドレスに対し、前記個人情報記憶手段の個人情報、前記画像記憶手段の画像情報のうち、何れかの情報を送信すると共に、前記緊急通報信号が与えられたら、前記アドレス記憶手段に登録されている特定のメールアドレス先へ、前記画像記憶手段に記憶されている画像情報をＥメールに添付してＥメール送信を行うメッセージ送信手段と、を具備することを特徴とする緊急通報装置。
【請求項４】
緊急時を検出し、緊急通報信号を出力する緊急時検出手段と、
個人情報を格納する個人情報記憶手段と、
通信先のメールアドレスを記憶するアドレス記憶手段と、
テキスト情報を格納するテキスト情報記憶手段と、
被写体を撮影する撮像手段と、
前記撮像手段からの出力の画像信号処理を行う画像信号処理手段と、
前記画像信号処理手段の出力する画像情報を記憶する画像記憶手段と、
通信先のメールアドレスに対し、前記個人情報記憶手段の個人情報、前記テキスト情報記憶手段のテキスト情報、前記画像記憶手段の画像情報のうち、何れかの情報を送信すると共に、前記緊急通報信号が与えられたら、前記アドレス記憶手段に登録されている特定のメールアドレス先へ、前記画像記憶手段に記憶されている画像情報をＥメールに添付してＥメール送信を行うメッセージ送信手段と、を具備することを特徴とする緊急通報装置。
【請求項５】
緊急時を検出し、緊急通報信号を出力する緊急時検出手段と、
個人情報を格納する個人情報記憶手段と、
通信先のメールアドレスを記憶するアドレス記憶手段と、
現在位置を検出し、位置情報を生成する測位検出手段と、
通信先のメールアドレスに対し、前記個人情報記憶手段の個人情報、前記測位検出手段の位置情報のうち、何れかの情報を送信すると共に、前記緊急通報信号が与えられたら、前記アドレス記憶手段に登録されている特定のメールアドレス先へ、前記測位検出手段の位置情報をＥメールに添付してＥメール送信を行うメッセージ送信手段と、を具備することを特徴とする緊急通報装置。
【請求項６】
緊急時を検出し、緊急通報信号を出力する緊急時検出手段と、
個人情報を格納する個人情報記憶手段と、
通信先のメールアドレスを記憶するアドレス記憶手段と、
被写体を撮影する撮像手段と、
前記撮像手段からの出力の画像信号処理を行う画像信号処理手段と、
前記画像信号処理手段の出力する画像情報を記憶する画像記憶手段と、
現在位置を検出し、位置情報を生成する測位検出手段と、
通信先のメールアドレスに対し、前記個人情報記憶手段の個人情報、前記画像記憶手段の画像情報、前記測位検出手段の位置情報のうち、何れかの情報を送信すると共に、前記緊急通報信号が与えられたら、前記アドレス記憶手段に登録されている特定のメールアドレス先へ、前記測位検出手段の位置情報をＥメールに添付してＥメール送信を行うメッセージ送信手段と、を具備することを特徴とする緊急通報装置。
【請求項７】
緊急時を検出し、緊急通報信号を出力する緊急時検出手段と、
個人情報を格納する個人情報記憶手段と、
通信先のメールアドレスを記憶するアドレス記憶手段と、
テキスト情報を格納するテキスト情報記憶手段と、
現在位置を検出し、位置情報を生成する測位検出手段と、
通信先のメールアドレスに対し、前記個人情報記憶手段の個人情報、前記テキスト情報記憶手段のテキスト情報、前記測位検出手段の位置情報のうち、何れかの情報を送信すると共に、前記緊急通報信号が与えられたら、前記アドレス記憶手段に登録されている特定のメールアドレス先へ、前記測位検出手段の位置情報をＥメールに添付してＥメール送信を行うメッセージ送信手段と、を具備することを特徴とする緊急通報装置。
【請求項８】
前記緊急通報信号が与えられたら、ブザーを鳴らすブザー手段を更に備えることを特徴とする請求項１〜７のいずれか１項記載の緊急通報装置。
【発明の詳細な説明】
【０００１】
【発明の属する技術分野】
本発明は、緊急事態が発生した際に、ユーザが予め設定しておいた連絡先に対し、緊急事態が発生したことを確実かつ詳細に通報する緊急通報装置に関するものである。
【０００２】
【従来の技術】
近年では携帯電話の普及に伴い、暴漢に襲われた場合などの緊急時の通報も、以前よりは行い易くなっている。しかし、このような犯罪の増加に伴い、防犯機器への需要も高まっており、緊急事態の状況をより確実に且つ詳細に通報する通報手段が必要とされている。
【０００３】
従来では、緊急事態の発生時に電話番号を入力して連絡先に電話をしたり、または携帯電話に登録されている特定の電話番号を選択して緊急連絡先に通報を行っていた。また、体調不良時の緊急通報システムとしては、例えば特許文献１のように、緊急事態の発生時に通報者が緊急通報専用ボタンを押下することによって、緊急連絡先に通報すると同時に、ＧＰＳ衛星からの信号に基づいた位置情報及びユーザＩＤを緊急連絡先に送信する。そして、緊急連絡先でユーザＩＤを基に、個人情報データベースから個人情報を取得し、緊急通報の発信位置と緊急通報を発信した個人とを特定していた。
【０００４】
【特許文献１】
特許第３１１５２６８号公報
（段落（００４８）−（００７０）、第７−８図参照）
【０００５】
【発明が解決しようとする課題】
しかしながら、上述した従来の緊急通報装置の場合、通報時に電話番号の入力又は選択を行うには、数回に渡ってボタンを押したり、画面を見て選択するなど操作が煩雑であった。このため、迅速な通報が困難となったり、また特許文献１のように迅速な通報が可能だとしても、通報者からのメッセージの伝達が不可能なため、例えば救急通報のみというように、緊急通報の用途が限られてしまうという問題を有していた。
【０００６】
本発明は、上記従来の問題点を解決するもので、緊急事態をより確実かつ詳細に伝達することが可能な緊急通報装置を提供することを目的とする。
【０００７】
【課題を解決するための手段】
本願の請求項１の発明は、緊急時を検出し、緊急通報信号を出力する緊急時検出手段と、個人情報を格納する個人情報記憶手段と、通信先のメールアドレスを記憶するアドレス記憶手段と、通信先のメールアドレスに対し、前記個人情報記憶手段の前記個人情報を送信すると共に、前記緊急時検出手段から緊急通報信号が与えられたら、前記アドレス記憶手段に登録されている特定のメールアドレス先へＥメール送信を行うメッセージ送信手段と、を具備することを特徴とする。
【０００８】
本願の請求項２の発明は、緊急時を検出し、緊急通報信号を出力する緊急時検出手段と、個人情報を格納する個人情報記憶手段と、通信先のメールアドレスを記憶するアドレス記憶手段と、テキスト情報を格納するテキスト情報記憶手段と、通信先のメールアドレスに対し、前記個人情報記憶手段の個人情報、前記テキスト情報記憶手段のテキスト情報のうち、何れかの情報を送信すると共に、前記緊急通報信号が与えられたら、前記アドレス記憶手段に登録されている特定のメールアドレス先へＥメール送信を行うメッセージ送信手段と、を具備することを特徴とする。
【０００９】
本願の請求項３の発明は、緊急時を検出し、緊急通報信号を出力する緊急時検出手段と、個人情報を格納する個人情報記憶手段と、通信先のメールアドレスを記憶するアドレス記憶手段と、被写体を撮影する撮像手段と、前記撮像手段からの出力の画像信号処理を行う画像信号処理手段と、前記画像信号処理手段の出力する画像情報を記憶する画像記憶手段と、通信先のメールアドレスに対し、前記個人情報記憶手段の個人情報、前記画像記憶手段の画像情報のうち、何れかの情報を送信すると共に、前記緊急通報信号が与えられたら、前記アドレス記憶手段に登録されている特定のメールアドレス先へ、前記画像記憶手段に記憶されている画像情報をＥメールに添付してＥメール送信を行うメッセージ送信手段と、を具備することを特徴とする。
【００１０】
本願の請求項４の発明は、緊急時を検出し、緊急通報信号を出力する緊急時検出手段と、個人情報を格納する個人情報記憶手段と、通信先のメールアドレスを記憶するアドレス記憶手段と、テキスト情報を格納するテキスト情報記憶手段と、
被写体を撮影する撮像手段と、前記撮像手段からの出力の画像信号処理を行う画像信号処理手段と、前記画像信号処理手段の出力する画像情報を記憶する画像記憶手段と、通信先のメールアドレスに対し、前記個人情報記憶手段の個人情報、前記テキスト情報記憶手段のテキスト情報、前記画像記憶手段の画像情報のうち、何れかの情報を送信すると共に、前記緊急通報信号が与えられたら、前記アドレス記憶手段に登録されている特定のメールアドレス先へ、前記画像記憶手段に記憶されている画像情報をＥメールに添付してＥメール送信を行うメッセージ送信手段と、を具備することを特徴とする。
【００１１】
本願の請求項５の発明は、緊急時を検出し、緊急通報信号を出力する緊急時検出手段と、個人情報を格納する個人情報記憶手段と、通信先のメールアドレスを記憶するアドレス記憶手段と、現在位置を検出し、位置情報を生成する測位検出手段と、通信先のメールアドレスに対し、前記個人情報記憶手段の個人情報、前記測位検出手段の位置情報のうち、何れかの情報を送信すると共に、前記緊急通報信号が与えられたら、前記アドレス記憶手段に登録されている特定のメールアドレス先へ、前記測位検出手段の位置情報をＥメールに添付してＥメール送信を行うメッセージ送信手段と、を具備することを特徴とする。
【００１２】
本願の請求項６の発明は、緊急時を検出し、緊急通報信号を出力する緊急時検出手段と、個人情報を格納する個人情報記憶手段と、通信先のメールアドレスを記憶するアドレス記憶手段と、被写体を撮影する撮像手段と、前記撮像手段からの出力の画像信号処理を行う画像信号処理手段と、前記画像信号処理手段の出力する画像情報を記憶する画像記憶手段と、現在位置を検出し、位置情報を生成する測位検出手段と、通信先のメールアドレスに対し、前記個人情報記憶手段の個人情報、前記画像記憶手段の画像情報、前記測位検出手段の位置情報のうち、何れかの情報を送信すると共に、前記緊急通報信号が与えられたら、前記アドレス記憶手段に登録されている特定のメールアドレス先へ、前記測位検出手段の位置情報をＥメールに添付してＥメール送信を行うメッセージ送信手段と、を具備することを特徴とする。
【００１３】
本願の請求項７の発明は、緊急時を検出し、緊急通報信号を出力する緊急時検出手段と、個人情報を格納する個人情報記憶手段と、通信先のメールアドレスを記憶するアドレス記憶手段と、テキスト情報を格納するテキスト情報記憶手段と、現在位置を検出し、位置情報を生成する測位検出手段と、通信先のメールアドレスに対し、前記個人情報記憶手段の個人情報、前記テキスト情報記憶手段のテキスト情報、前記測位検出手段の位置情報のうち、何れかの情報を送信すると共に、前記緊急通報信号が与えられたら、前記アドレス記憶手段に登録されている特定のメールアドレス先へ、前記測位検出手段の位置情報をＥメールに添付してＥメール送信を行うメッセージ送信手段と、を具備することを特徴とする。
【００１４】
本願の請求項８の発明は、請求項１〜７のいずれか１項の緊急通報装置において、前記緊急通報信号が与えられたら、ブザーを鳴らすブザー手段を更に備えることを特徴とする。
【００１５】
【発明の実施の形態】
以下、本発明の実施の形態について、図１及び図２を用いて説明する。図１は本実施の形態における緊急通報装置の構成図である。本実施の形態の緊急通報装置は、一例として、ＧＰＳ受信部及びカメラ部が装備されている携帯電話に対して、図示の機能ブロックを更に加えたものとしている。緊急通報ボタン１は使用者が緊急時に押下するボタンである。ボタン押下判定手段２は緊急通報ボタン１が押されたか否かを判別し、押されたと判定した場合に緊急通報信号を出力するものである。
【００１６】
撮像手段３はボタン押下判定手段２の緊急通報信号の出力タイミングで被写体を撮影するものである。画像信号処理手段４は撮像手段３から出力された画像信号の処理を行うものである。キー入力処理手段５はユーザからのテキストキー入力を受け付け、テキストデータ作成の処理を行うものである。アドレス記憶手段６はキー入力処理手段５が作成したテキストデータのうち、Ｅメールアドレスを記憶するものである。個人情報記憶手段７はキー入力処理手段５が作成したテキストデータのうち、住所や電話番号、氏名等の個人情報を記憶するものである。メッセージ記憶手段８はキー入力処理手段５が作成したテキストデータのうち、ユーザが作成したメッセージを記憶するものである。画像記憶手段９は画像信号処理手段４から出力された画像情報を記憶するものである。
【００１７】
ＧＰＳ受信手段１０はＧＰＳ衛星からの信号を受信するものである。位置情報算出手段１１はＧＰＳ受信手段１０の出力信号、即ち３個以上のＧＰＳ衛星の信号から位置を算出して、位置情報を出力するものである。通信手段１２はアドレス記憶手段６に記憶されているメールアドレス先にＥメール送信を行うものである。制御手段１３は、ボタン押下判定手段２から緊急通報信号が与えられたら、個人情報記憶手段７、メッセージ記憶手段８、画像記憶手段９に記憶されている情報、及び位置情報算出手段１１の位置情報をＥメール送信するため、通信手段１２を制御するものである。ブザー１４はボタン押下判定手段２の緊急通報信号の出力タイミングでブザーを鳴らすものである。
【００１８】
以上のように構成された緊急通報装置において、緊急通報を行う動作について説明する。図２は緊急通報手順を記述したフローチャートである。まず、ユーザは予め図１のキー入力処理手段５によって、住所や電話番号、氏名等の個人情報を入力し、個人情報記憶手段７に記録しておく。同様に、緊急連絡先としてのメールアドレスをアドレス記憶手段６に記録し、緊急事態を示すメッセージをメッセージ記憶手段８に記録しておく。
【００１９】
そして実際に、暴漢に襲われる等の緊急事態が発生した際には、ユーザは緊急通報ボタン１を押下する。ステップＳ１ではボタン押下判定手段２は、緊急通報ボタン１が押下されたら、緊急時か否かの判定を行う。この場合の判定基準の一例として、緊急通報ボタン１が所定時間以上（例えば３秒以上）押された状態を緊急時とする。ボタン押下判定手段２が緊急時と判定したら、ステップＳ２に進み、撮像手段３、制御手段１３、ブザー１４に対して緊急通報信号を出力する。
【００２０】
ブザー１４は緊急通報信号が与えられたら、ステップＳ３でブザー音を鳴らす。これは暴漢を威嚇すると同時に、周囲に緊急事態の発生を通報する役割を果たす。そして、ステップＳ４に進み、撮像手段３は緊急通報信号が与えられたら、撮影を行い、緊急事態の現場を撮影する。この場合の撮像視野はユーザが携帯する機器のレンズ系の光軸で決定される。
【００２１】
一方、制御手段１３は緊急通報信号が与えられたら、ステップＳ５において画像信号処理手段４を制御して撮像手段３から出力された画像信号の処理を行わせ、静止画のデータを画像情報として作成し、それを画像記憶手段９に記録する。次にステップＳ６に進み、制御手段１３は位置情報算出手段１１から現在の位置情報を取得する。位置情報の取得方式としては、一例として３個以上のＧＰＳ衛星の信号から位置情報を算出する方式とするが、ＰＨＳの基地局情報による位置検出方式等でも良い。そして次のステップＳ７に進むと、キー入力処理手段５によって予め作成し記録しておいた住所や電話番号、氏名等の個人情報、緊急事態を通報するメッセージを、個人情報記憶手段７及びメッセージ記憶手段８から取り出し、さらに撮影した静止画を画像記憶手段９から取り出す。制御手段１３は通信手段１２を制御して、これら４種類のデータを、アドレス記憶手段６に予め記憶されているメールアドレス先にＥメールとして送信を行う。
【００２２】
以上のように、本実施の形態によれば、緊急通報ボタン１を押すだけで、住所や電話番号、氏名等の個人情報、緊急事態を通報するメッセージ、緊急事態の現場又は暴漢の姿を撮影した静止画、及び現在の位置情報を自動的に緊急連絡先に送信することができ、さらにブザーも鳴らすことによって、周囲に緊急事態の発生を知らせることができる。また暴漢が被害者の居る場所から逃避しても、画像情報を含む状況証拠が記憶されているので、その後の犯罪捜査や、立件における証拠データと活用できる。
【００２３】
なお、緊急通報ボタン１及びボタン押下判定手段２は、緊急時を検出し、緊急通報信号を出力する緊急時検出手段の機能を達成している。またＧＰＳ受信手段１０及び位置情報算出手段１１は、緊急通報装置の現在位置を検出し、その位置情報を生成する測位検出手段の機能を達成している。また通信手段１２及び制御手段１３は、通信先のメールアドレスに対し、個人情報記憶手段７の個人情報、画像記憶手段９の画像情報、測位検出手段の位置情報のうち、何れかの情報を送信するメッセージ送信手段の機能を達成している。
【００２４】
なお、実施の形態において、ブザーを鳴らして撮影を行い、現在位置情報を取得するとしたが、この「ブザーを鳴らす」、「撮影を行う」、「現在位置情報を取得する」の３項目の順序は、どのように入れ替わっても良いし、３項目のうちいずれか１項目又は２項目のみでも良い。
【００２５】
また、実施の形態において、記憶手段をアドレス記憶手段６、個人情報記憶手段７、メッセージ記憶手段８、画像記憶手段９の４つの記憶手段に分割したが、これらの記憶手段を１つの記憶手段で実現しても良い。
【００２６】
また、実施の形態において、緊急時の検出方法を、緊急通報ボタン１が所定時間以上押されたか否かを検出するとしたが、マイクロホンで集音されたメッセージ、例えば「助けて」などの悲鳴の音声認識と、緊急通報ボタンの押下とを組み合わせた判定でも良い。また撮影を行うシャッターが所定時間以上押された場合を緊急状態と判定し、緊急通報信号を出力するようにしても良い。
【００２７】
また、実施の形態において、緊急通報信号の出力と同時に撮影を行うとしたが、緊急通報信号の出力の前後の所定時間以内に撮影された静止画を緊急連絡先に転送することにしても良い。
【００２８】
また、実施の形態において、アドレス記憶手段６に記憶されているメールアドレスを緊急連絡先として登録するとしたが、緊急連絡先以外のメールアドレスを記録している通常のアドレス記憶装置の一部を共有するようにしても良い。
【００２９】
【発明の効果】
以上のように本発明によれば、緊急通報ボタンを押すだけで、住所や電話番号、氏名等の個人情報、緊急事態を通報するメッセージ、緊急事態の現場を撮影した静止画、及び現在の位置情報を自動的に緊急連絡先に送信することができ、さらにブザーも鳴らすことによって、周囲に緊急事態の発生を知らせることができる。このようにして緊急状態をより確実かつ詳細に伝達することができる。
【図面の簡単な説明】
【図１】本発明の実施の形態における緊急通報装置の構成を示すブロック図である。
【図２】本実施の形態における緊急通報装置の動作を示すフローチャートである。
【符号の説明】
１  緊急通報ホタン
２  ボタン押下判定手段
３  撮像手段
４  画像信号処理手段
５  キー入力処理手段
６  アドレス記憶手段
７  個人情報記憶手段
８  メッセージ記憶手段
９  画像記憶手段
１０  ＧＰＳ受信手段
１１  位置情報算出手段
１２  通信手段
１３  制御手段
１４  ブザー
【図１】
2004355539.tif 000003
【図２】
2004355539.tif 000004